(57)【要約】【課題】  動画データをダイジェスト編集する技術を提供する。【解決手段】  ガイダンス機能に利用されるガイダンスファイルに、複数のガイダンスファイルがガイダンスファイル保存エリア内に保存されている。この際、イベント毎にそのイベントにおけるシーンの重要性に基づいて、シーン毎に優先順位又は重要度に関する情報が付加される。運動会であれば、表彰式などのシーンの優先順位が高く設定された状態でガイダンスファイル格納領域に格納される。優先順位はイベント毎にデフォルト値が決まっているが、ユーザがその順位を変更できる。【選択図】  図２
2005045574.tif 000002
【特許請求の範囲】
【請求項１】
撮影データを編集するための編集装置と関連付け可能な記憶装置であって、
提示される撮影ガイダンスに沿って撮影されシーン毎に複数の撮影データに分割された撮影データを格納する撮影データ保存エリアと、
分割された前記撮影データのそれぞれに対して付されたガイダンスファイルであって、分割された前記撮影データと対応付けされているガイダンスファイルを格納するガイダンスファイル保存エリアと
を有し、
分割された前記撮影データに対して、該撮影データを編集する際における優先度に関する情報が付加されていることを特徴とする記憶装置。
【請求項２】
前記優先度に関する情報は、分割された前記撮影データ毎に予め定義された優先度又はユーザが再定義した優先度を含むことを特徴とする
請求項１に記載の記憶装置。
【請求項３】
請求項１又は２に記載の記憶装置と関連付け可能なガイダンス機能付き撮影装置であって、
前記優先度に関する情報に基づいて、撮影時に提示するガイダンス内容を変更する処理を行う処理部を有することを特徴とする撮影装置。
【請求項４】
前記優先度に関する情報は、撮影シーン数又は撮影時間を含むことを特徴とする請求項３に記載の撮影装置。
【請求項５】
請求項１又は２に記載の記憶装置と関連付け可能な撮影データ編集装置であって、
前記優先度に関する情報に基づいて編集処理を行う編集処理部を備えた撮影データ編集装置。
【請求項６】
前記優先度に関する情報は、編集に含めるシーン数又は編集に含める作品の再生時間を含むことを特徴とする請求項５に記載の撮影データ編集装置。
【請求項７】
前記優先度に関する情報を、編集時間に基づいて変更する手段を有することを特徴とする請求項５又は６に記載の撮影データ編集装置。
【請求項８】
提示される撮影ガイダンスに沿って撮影され、シーン毎に分割された撮影データのそれぞれに対して付され分割された前記撮影データと対応付けされているガイダンスファイルを取得する第１ステップと、
取得した前記ガイダンスファイルを解析し、該ガイダンスファイル内に定義されているシーン毎の優先度を取得する第２ステップと、
該第２ステップにおいて、取得された優先度に基づいて前記分割された撮影データを編集する第３ステップと
を有する撮影データ編集方法。
【請求項９】
前記第３ステップは、作品により決められた時間内に前記撮影データの再生時間が入るように前記分割された撮影データを編集する処理を実行することを特徴とする請求項８に記載の撮影データ編集方法。
【請求項１０】
コンピュータに請求項８又は９に記載のステップを実行させるためのプログラム。
【発明の詳細な説明】
【技術分野】
【０００１】
本発明は、撮影データの編集装置に関し、特に、撮影データをダイジェスト編集する機能を有する編集装置に関する。
【背景技術】
【０００２】
デジタルビデオカメラなどの撮影装置で撮像した動画像は、生データのままでは状況がわかりにくく、１つの作品としての完成度が低くなる可能性が高い。そこで、デジタルビデオカメラにより撮像した動画データを、予めビデオ編集用のアプリケーションソフトウェア（以下、「ビデオ編集ソフト」と称する。）がインストールされているパーソナルコンピュータ（ＰＣ）に転送し、ユーザがビデオ編集ソフトを起動し、上記ビデオ編集ソフトによる指示に沿って転送された動画データの編集を行うのが一般的である。
【０００３】
また、ゲーム中に与えられる音楽素材及び映像素材を用いて、音楽及び映像で構成されるビデオクリップを作成するビデオゲーム装置であって、音楽の演奏時間を表す時間メモリを表示するとともに、映像のカット割りを指定するマーキング処理を行うためのマーキング指定画面を表示する制御手段を備え、このマーキング指定画面において、プレーヤーによってマーキング開始が指令されると、ビデオクリップ用の音楽の演奏が開始するとともに、この音楽の演奏進行に伴って時間メモリ上で指定したマーキングを付与し、プレーヤーによって指定されたカット単位に所望の映像素材をプレーヤーに選択させることによって、音楽と対応するビデオクリップをカット単位に作成することができるビデオゲーム装置も提案されている（特許文献１参照）。
【０００４】
【特許文献１】特開平１１−３０６３７３号公報
【発明の開示】
【発明が解決しようとする課題】
【０００５】
上記特許文献１に記載の技術は、ゲーム中に与えられる音楽素材及び映像素材を用いて音楽及び映像で構成されるビデオクリップを作成するためのものである。
【０００６】
また、一旦ＰＣに動画データを転送させてからビデオ編集ソフトに従って編集を行う方法は、操作が煩雑であるとともに、撮影した動画データ内に編集に必要な動画データが入っているか否かは撮影者の感性に負うところが大きく、編集する時点になってから、必要な場面が撮影されていなかったなどということが起こりがちである。
【０００７】
ところで、あるイベントを撮影した撮影データの編集を行う場合に、一般的なデータ編集方法以外に、あるイベントの概要（いわゆるダイジェスト版）を編集できるのが好ましい。特に、動画データは全体のデータ量が大きくなりがちであるため、電子メールや携帯電話などを用いたデータ通信などでは、イベントの概要を１つの作品とすることができると非常に便利である。
【０００８】
本発明は、動画データのダイジェスト版を簡単に編集するための技術を提供することを目的とする。さらに、本発明は、撮影時にダイジェスト編集しやすい形式で撮影することができる撮影技術を提供することを特徴とする。
【課題を解決するための手段】
【０００９】
本発明の一観点によれば、撮影データを編集するための編集装置と関連付け可能な記憶装置であって、提示される撮影ガイダンスに沿って撮影されシーン毎に複数の撮影データに分割された撮影データを格納する撮影データ保存エリアと、分割された前記撮影データのそれぞれに対して付されたガイダンスファイルであって、分割された前記撮影データと対応付けされているガイダンスファイルを格納するガイダンスファイル保存エリアとを有し、分割された前記撮影データに対して、該撮影データを編集する際における優先度に関する情報が付加されていることを特徴とする記憶装置が提供される。
【００１０】
分割された撮影データに関して付加されている優先度を、ダイジェスト編集を行う際の指標とすることができる。
【００１１】
この際、撮影シーン数又は撮影時間又は編集に含めるシーン数又は編集に含める作品の時間を優先度とに基づいて決めるのが好ましい。
【００１２】
本発明の他の観点によれば、提示される撮影ガイダンスに沿って撮影され、シーン毎に分割された撮影データのそれぞれに対して付され分割された前記撮影データと対応付けされているガイダンスファイルを取得する第１ステップと、取得した前記ガイダンスファイルを解析し、該ガイダンスファイル内に定義されているシーン毎の優先度を取得する第２ステップと、該第２ステップにおいて、取得された優先度に基づいて前記分割された撮影データを編集する第３ステップとを有する撮影データ編集方法が提供される。
【００１３】
前記第３ステップは、作品により決められた時間内に前記撮影データの再生時間が入るように前記分割された撮影データを編集することを特徴とする。
【００１４】
上記方法を用いることにより、所望の時間のダイジェスト編集を行ったビデオクリップを作成することができる。
【発明の効果】
【００１５】
あるガイダンスルールに基づいて撮影されたビデオデータを、このガイダンスルールを利用することにより簡単に編集することができる。この際の、撮影シーンの重み付けなどを行うことによりダイジェスト版の編集を簡単に行うことができる。
【発明を実施するための最良の形態】
【００１６】
本発明に係るダイジェスト編集技術は、撮影の際に予めダイジェスト編集を行う可能性があることを前提とし、自動的にダイジェスト編集を行いやすいように撮影を行うとともに、実際に撮影された動画データを用いて自動的にダイジェスト編集を行う技術である。動画や静止画を撮影し記録できるビデオカメラシステムにおいて、撮影時にそのときの撮影環境に沿ったガイダンスを選択してから記録を開始するガイダンス機能を有する。ガイダンスは文字情報でもよいし、音声情報でもよいし、実行したい内容が撮影者に理解できるものならどのような情報（目印）が付されていれば良い。撮影者はそのガイダンスを参照し、その指示に沿った情報を記録していく、という操作が次々と行なわれ、ガイダンスに沿った撮影が終了する。
【００１７】
ガイダンスデータは、ビデオカメラにより撮影された動画データを格納する記憶装置とは異なる装置に格納しても良いし、撮影データが格納される記憶装置内に保存されていてもよい。尚、ガイダンスデータを解釈しそれに基づいて保存された撮影情報を編集できる編集装置との連携を考えると、保存は後者の方が好ましい。既に、その記憶装置内に撮影情報とそのとき使ったガイダンスデータが保存されているからである。従って、編集するときに同時にデータ全体を移動させることができるため編集を迅速に行うことができる。
【００１８】
加えて、撮影データと撮影時に使用したガイダンスデータは、１：１に関連付けされて保存されるのが好ましい。この１：１の対応関係に関する条件を維持することにより、ガイダンスデータを利用した高度な自動編集が可能となる。尚、自動編集を迅速に行うために、撮影装置側に上記記憶装置を取り外すことができるいわゆるリムーバブルスロットを付加することもできる。加えて、編集装置側にもそのスロットを備え付けられているのが好ましい。
【００１９】
以上の条件に満たすことより、撮影データとガイダンスデータとの組を装置間で瞬時に移動させることができる。上記記憶装置を用いて編集装置が編集処理を行うことができるため、異なる装置間でのデータ転送を行う技術と比べて、データ転送そのものに要する時間は記憶装置を差し替える時間とほぼ等しくなり、非常に効率的なデータ転送が可能である。
【００２０】
以下において、本実施の形態によるダイジェスト編集技術を含む自動編集技術について、図面を参照しつつ説明を行う。まず、ガイダンス付き撮影装置について簡単に説明する。予め複数用意されている典型的な撮影シーン候補の中から、ユーザは、これから撮影するシーン又はそれに近い撮影シーン候補を選択し、選択された撮影シーン候補によりガイダンスを提供する。選択した撮影シーン候補が提供するガイダンスに沿ってユーザは撮影を行うだけで良い。図１は、ガイダンス機能付きビデオカメラの一構成例を示す機能ブロック図である。
【００２１】
図１に示すように、ガイダンス機能付き撮影装置Ａは、カメラ部１と、カメラ信号処理部３と、記録／再生信号処理部５と、Ｉ／Ｏ処理部７と、グラフィックス（Ｇｒａｐｈｉｃｓ）処理部１１と、制御部（ＭＰＵ）１５と、メモリ１７であってアプリケーションプログラムを格納するＲＯＭ１７ａを有するメモリ１７と、通信制御部２１と、を有している。通信制御部２１は、例えば、ＵＳＢやＩＥＥＥ１３９４などの規格に基づいて他の機器との間でデータ転送を行うために設けられている。
【００２２】
さらに、本実施の形態によるガイダンス機能付き撮影装置Ａは、例えば汎用バス５０を介してＩ／Ｏ処理部７と関連付けされる記憶装置３１を有している。記憶装置３１は、例えば、ガイダンス機能付き撮影装置Ａの他の部分と着脱可能に設けられており、ガイダンスファイル保存エリア（領域）３３と、ユーザ定義ガイダンスファイル保存エリア（領域）３５と、撮影データ保存エリア（領域）３７とを有している。記憶装置は撮影装置Ａ内に内蔵されていても良い。
【００２３】
撮影された映像信号（光信号）は、カメラ部１に設けられたレンズ、ＣＣＤ固体撮像素子（図示せず）などを通して電気信号に変換され、カメラ処理部３においてデジタル化を含む信号処理が行われる。信号処理により生成した映像信号は、記録／再生信号処理部５において、必要なコーデックによりデータ圧縮が行われ、Ｉ／Ｏ処理部７を介して記憶装置３１の撮影データ保存エリア３７に書き込まれる。音声信号に関しても、アナログ信号をデジタル化し、必要なコーデックで圧縮、Ｉ／Ｏ処理部７で映像信号系と同期をとり、記憶装置３１の撮影データ保存エリア３７に書き込む。
【００２４】
ユーザが、撮影前にこれから撮影するイベントに関連する、或いは、希望のガイダンスを選択すると、撮影開始時にＧＵＩ（グラフィック  ユーザ  インターフェイス）や音声などのガイダンスが適宜提示され、提示されたガイダンスに沿って撮影を開始する。尚、詳細なＧＵＩに関しては、実施例において後述する。
【００２５】
本実施の形態によるガイダンス機能付き撮影装置の特徴となるガイダンス機能に利用されるガイダンスファイルには、複数のガイダンスファイルがガイダンスファイル保存エリア３３に保存されている。ガイダンスファイルには、イベント毎にそのイベントにおけるシーンの重要性に基づいて、シーン毎に優先順位又は重要度に関する情報が付加されている。例えば、披露宴であれば、キャンドルサービスなどのシーンの優先順位が高く設定された状態でガイダンスファイル格納領域に格納される。優先順位はイベント毎にデフォルト値が決まっているが、ユーザがその順位を変更できるようにしても良い。
【００２６】
図２は、ガイダンスシーケンス例を示す図である。図１も参照しつつ、例えば、イベントが運動会であった場合を例にして、撮影シーケンスについてより具体的に説明を行う。ガイダンスシーケンスとしては、以下に示す１〜１１までの運動会における典型的なシーンを撮影するように、シーケンスに沿って撮影のガイダンスが進められる。上述の優先順位１から５までを、各シーンの番号の後に（  ）で例示する。
【００２７】
１（２）．オープニングシーン：ガイダンス例“オープニング画面を次から選択してください”。これに対して、ユーザは、好みのオープニング画面を選択する。
２（３）．撮影シーン１：ガイダンス例“運動会のゲートを５秒間程度撮影してください”。これに対して、ユーザは、運動会のゲート付近を撮影する。５秒間は目安としても良いし、機器側で撮影可能期間を５秒間に設定しておいても良い（撮影１）。
３（４）．撮影シーン２：ガイダンス例“開会のシーンを適当に撮影してください”。これに対して、実際に撮影を行う（撮影２）。
４（２−１）．撮影シーン３-１：ガイダンス例“関係するプログラムを順に撮影してください”。これに対して、実際に撮影を行う（撮影３−１）。
５（２−２）．撮影シーン３-＊：ガイダンス例“関係するプログラムを順に撮影してください”。これに対して、実際に撮影を行う（撮影３＊）。
６（２−３）．撮影シーン３-ｎ：ガイダンス例“関係するプログラムを順に撮影してください”。これに対して、実際に撮影を行う（撮影３ｎ）。
７（５）．撮影シーン４：ガイダンス例“お昼休みのシーンを撮影してください”。これに対して、実際に撮影を行う（撮影４）。
８（２−４）．撮影シーン５-１：ガイダンス例“関係するプログラムを順に撮影してください”。これに対して、実際に撮影を行う（撮影３-１）。
９（２−５）．撮影シーン５-＊：ガイダンス例“関係するプログラムを順に撮影してください”。これに対して、実際に撮影を行う（撮影５-＊）。
１０（２−６）．撮影シーン５-ｎ：ガイダンス例“関係するプログラムを順に撮影してください”。これに対して、実際に撮影を行う（撮影５-ｎ）。
１１（１）．撮影シーン６：ガイダンス例“表彰式を撮影してください”これに対して、実際に撮影を行う（撮影６）。
【００２８】
上記の１〜１１までのそれぞれのガイダンスタイミングは、例えば、撮影を開始した時刻と、ビデオカメラに内蔵された時計からの時刻情報とに基づいて、自動的に組み立てられる。図２に示されるシーケンスでは、例えば、オープニング選択などのユーザ操作が加えられており、標準のガイダンスファイルではなく、ユーザ定義のガイダンスファイルが新たに作成されている。
【００２９】
提示されたガイダンスとそれに沿って撮影された撮影データとは、１：１に対応付けされて記憶装置３１内に格納される。尚、ユーザデータ定義ファイルエリアは、定型のガイダンスファイル以外にユーザが任意に定義したユーザデータをファイリングする領域である。各シーンには優先順位情報が付加されているため、後の自動編集においてダイジェスト編集を行う際に、作品中にそのシーンを入れるか否か、入れるとすればその時間を決める際に目安になる。
【００３０】
次に、自動編集技術について図面を参照しつつ説明を行う。図３は、本実施の形態による自動編集システムの概略構成を示す図であり、図１に示したガイダンス機能付き撮影装置を用い。図２に示すシーケンスに沿って作成されたガイダンスファイルと撮影データとを用いた自動編集システムの構成例を示す図である。上述のように、ガイダンス機能を用いて撮影された動画データは、撮影装置Ａから取り外し可能な記憶装置３１内に保存されているが、図３に示すように、編集装置Ｂ側にも記憶装置３１（図１の記憶装置３１と同じものであるのが好ましい。）を取り外し可能なスロット（図示せず）が設けられている。撮影装置から記憶装置３１を取り外し、編集装置Ｂのスロットに記憶装置３１を差し込んだ状態が図３に示す状態である。図３においては、汎用バス１２に接続された記憶装置（２）５５が設けられているが、コストなどの状況に応じて省略しても良い。ここでは、記憶装置（２）５５が設けられている構成を前提として説明をする。
【００３１】
図３に示す編集装置Ｂでは、スロットに差し込まれた記憶装置３１内のガイダンスファイル保存エリア３３内に格納されるガイダンスファイル群を、メモリ４３内に格納されている編集処理プログラムにより実行される処理により読み取り、グラフィックス（Graphics）処理部５３を通して、編集に用いられたガイダンスデータファイルのアイコン群または文字列群とそれに同期した撮影データファイル群とのサムネイル情報を図示しない表示部に表示させる。表示されたサムネイル情報の中から、今回撮影した例えば“運動会”のガイダンスを選択し、図示しない編集開始ボタンを押すことにより、“運動会”のガイダンスに基づいた最適の編集が施される。但し、編集トータル時間又はその他のユーザが望むファクタなどに関しては、編集開始ボタンを押す前に予め設定しておくのが好ましい。
【００３２】
ガイダンスファイルは、編集に必要なリソースデータファイル群と連携されている。これらのリソースデータファイル群は、いずれかの記憶装置内に予め保存されている。前述のファクタが設定されていれば、それらを考慮した上でガイダンスファイル内の情報を読み取り、一連のシーケンスにより編集処理が行なわれる。
【００３３】
図４は自動編集処理の流れを示すフローチャート図である。図４に示すように、まず、ステップＳ２１において、撮影装置（ビデオカメラ）で撮影したデータを記憶する記憶装置（この場合にはハードディスクドライブＨＤＤ）３１を、編集レコーダ（編集装置）が認識する。次に、ステップＳ２２において、記憶装置３１内のガイダンスファイル保存エリア３３内に保存されているガイダンスファイルを例えば複数表示されるアイコンに基づいて選択し、選択したガイダンスファイルの読み込みを行う。ステップＳ２３において、ガイダンスファイルの照合を行う。ガイダンスファイルが一致している場合には、ステップＳ３０に示すように、選択されたガイダンスファイルに対応する編集プログラムと、編集対象とする撮影データを編集プログラムにセットする。
【００３４】
この際、選択されたガイダンスファイルをステップＳ２４において解析し、ステップＳ２５においてガイダンスファイル内にユーザ定義データがあるか否かを判定する。ユーザ定義ファイルが無い場合には、ガイダンスファイル内にリソースデータとのリンクがあるか否かを判定する。ステップＳ２６でガイダンスファイル内にリソースリンクが無いと判定された場合にはステップＳ２７に進み、ガイダンスに基づく自動編集（ガイド編集）を行う。また、上述の優先順位（重要度）を勘案して編集を行っても良い。
【００３５】
ステップＳ２５においてガイダンスファイル内にユーザ定義データが有る場合には、ステップＳ３１に進み、編集プログラムデータエリアにデータをセットし、ステップＳ２７に進む。ステップＳ２６でガイダンスファイル内にリソースリンクが有ると判定された場合には、編集プログラムデータエリアにデータをセットし、ステップＳ２７に進む。
【００３６】
ステップＳ２７においてガイダンスと、優先順位とを利用した、撮影データのダイジェスト版を自動編集した後に、ステップＳ２８においてフォーマット変換を行いステップＳ２９において例えばＤＶＤ−Ｒ／ＲＷに保存（コピー）する。或いは、ステップＳ２７から直接内蔵ＨＤＤなどに編集後のダイジェスト版のデータを保存する。その他、フォーマット変換を行った後に、ＭＰＥＧ−４にデータとして保存することもできる。
【００３７】
以上に説明したように、本実施の形態によるダイジェスト版の自動編集技術においては、イベント毎に各シーンの優先順位（重要度）が決まっているため、それを参照しつつ編集を行うことができる。
【実施例１】
【００３８】
以下、本発明の撮影技術及び編集技術を含む全体処理の一連の流れに関して、ユーザインターフェイスを例示しつつ図面を参照して処理の流れを詳細に説明する。
【００３９】
まず、撮影時に、図５（ａ）に示すように、ガイダンス撮影新規、ガイダンス撮影続き、のいずれかの処理を選択できるメニューが表示される。図５（ａ）は、上記メニューの中から「ガイダンス撮影新規」を選んだ状態を示す図である。すると、図５（ｂ）に示すように、ガイダンス候補であるイベントとして、例えば「運動会、旅行記、披露宴、映画風、４コマ漫画」が表示される。図５（ｂ）は、これらのメニューから「運動会」を選んだ状態を示す図である。
【００４０】
この画面では、「運動会」で必要となるシーンをリストする。これにより必要なシーンの撮り忘れを防ぐことができる。ここでは、各シーンに適した被写体の案内や、撮影時間・カット数を案内する。これにより、ユーザは、何を撮影したらより効果的かに関して知ることができる。この画面では、「運動会や体育会の撮影に適したガイダンスを行います。「イントロ」、「オープニング」、「インターバル」、「エンディング」のシーンから構成されます。」とのガイダンスが行われる。
【００４１】
図６（ａ）は、撮影ガイダンスで「運動会」を選び「オープニング」のシーンを選んでいる状態を示す図である。この例では、「ビデオクリップの最初のシーンになります。開催場所と日時のわかるものを撮影して下さい。例えば、イベント名の書かれたゲート、スケジュール表などです。当日の空模様でも良いでしょう。撮り忘れてしまった時は、後で当日の新聞の日付を撮影しても良いでしょう。十分代用素材なります。その後、出場者へのインタビュー（意気込みなど）を追加撮影しても良いでしょう。５秒から１０秒程度の長さのカットを、１から３カット程度撮影して下さい。」というガイダンスが提示される。
【００４２】
図６（ｂ）は、「インターバル」のシーンを選んでいる状態を示す図である。この例では、「昼食や競技の合間のシーンを撮影して下さい。カメラマンがインタビューを兼ねて、一緒に会話に参加しても良いでしょう。会話のシーンを撮影するときは、外部マイクを接続した方が、音声が明瞭に記録されます。なお、このシーンは自動編集のダイジェスト編集ではカットされます。」というガイダンスが提示される。すなわち、自動編集と連携して自動編集の選択によっては、カットされることを案内する。上述のように、このようなアナウンスは、シーンの重要度に基づいて提示される。
【００４３】
次に、上記運動会に対する自動編集に関するユーザインターフェイスの例を示す。図７は、編集から上記で撮影した結果を選んだ状態を示す図であり、これは「運動会」のガイダンスで撮影した映像に対して、「ダイジェスト編集」と「ビデオ編集」との選択を促す状態を示す図である。ダイジェスト編集の例であれば、撮影シーンの一部を利用して作成される旨の案内がある。画面の表示内容は、実際にこの自動編集で行われる処理の概要例を示すものである。このままダイジェスト編集を実行すれば、自動編集が始まる。
【００４４】
この場合、編集装置は、「運動会」「ダイジェスト編集」の編集ルールが記述されたスクリプト（処理手順の記載されたデータ）に基づいて、編集を行う。その際、シーンの重要度などに基づいてシーンの取捨選択が行われる。例えば、スクリプトには、以下に示す手順が記載されている。
１：イントロの最初のシーンを選び、４秒分をカットし、編集リストに追加する。
２：オープニングの最初のシーンを選び、４秒分をカットし、編集リストに追加する。
３：競技の中から、音声レベルの高いシーンを８シーン４秒づつカットし、撮影時間順に、編集リストに追加する。
４：編集リストの先頭に、オープニングアニメーション（タイトル）を追加する。
５：編集リストの末尾に、エンディングアニメーションを追加する。
６：オープニングアニメーションにスーパーインポーズする日付の字幕には、競技のシーンに記録された撮影日付の情報を用いる。
７：全編にBGMを追加する。
８：できあがったビデオを（電子メールで送れるデータ量にするために）、MPEG-4コーデックで圧縮する。
【００４５】
上記のスクリプトに基づいて、自動編集が行われ、数十秒のダイジェスト版のビデオ作品が完成する。SDカードのようなメモリカードに記録できるような構成を有する機器であれば、作品をこのメモリカードに記録させることができる。また、電子メールを直接送信できるような通信機器を有していれば、そのまま電子メールに添付して送ることも可能である。表１は、より具体的なダイジェスト編集の処理の流れを示す表である。
【００４６】
【表１】
2005045574.tif 000003
【実施例２】
【００４７】
次に、撮影ガイダンスでイベントとして「披露宴」を選んだ場合の例について説明する。図８（ａ）は、披露宴において、撮影シーンに「キャンドル」を選んだ状態を示す図である。この場合には、例えば、「披露宴のイベントのひとつ、キャンドルサービスのシーンを撮影しましょう。自動で編集したときは、左のサンプルのように、暗いシーンの中の明るい一部を強調するような映像光かが適用されます。」という表示がなされる。このように、自動編集と連携して、撮影シーンに合わせた映像効果やＢＧＭ・効果音を付加することができる。
【００４８】
また、映像効果を付加する場合には、この例のように縮小画像を表示することにより、撮影者の理解を助けることができる。縮小画像を表示させる場合の他に、サンプルアニメーションを再生することこと、効果音やＢＧＭであればサンプル音声を再生することもできる。
【００４９】
図８（ｂ）は、撮影ガイダンスで「４コマ漫画」を選んだ状態を示す図である。この場合、例えば「「起承転結」の「承」にあたるシーンを撮影します。「起」を受けるように撮影して下さい。」というガイダンスが表示される。尚、ストーリーの組み立て方の代表例は、「起承転結」の順番であるが、自動編集との連携上、必ずしもその順番で撮影する必要はない。例えば「結」を最初に撮影しても、自動編集では最後のシーンとして編集させることができる。
【００５０】
図９（ａ）は、自動編集において、「旅行記」のガイダンスに基づいて撮影したデータを自動編集する例を示す図である。この画面上においては、ビデオ編集、ＤＶＤ（日付ごとＭｅｎｕ）、ＤＶＤ（場所ごとＭｅｎｕ）のうちのいずれかを選択できる。例えば、ＤＶＤ（日付ごとＭｅｎｕ）を選択すると、日付毎に見ることが出来るように、日付別のメニューを作成する。これにより、ユーザは、その日の撮影対象を感覚的に知ることが出来る。１本の時間軸に沿ったビデオの他、シーンやチャプタごとにメニューを持ったＤＶＤ（映画であれば、本編・メイキング・キャスト紹介があるようなＤＶＤ）のような映像機器のための自動編集を行うことができる。尚、ＤＶＤではなく、Ｗｅｂ上のホームページを作成する場合も同様である。旅行記であれば、撮影日付別のメニューや撮影場所ごとのメニュー作成を自動的に行う。ここで、ダイジェスト編集を実行すれば、自動編集が始まる。「旅行」「ＤＶＤ（日付ごとＭｅｎｕ）編集」の編集ルールが記述されたスクリプト（処理手順の記載されたデータ）に基づいて自動編集を行う。例えば、そのスクリプトには、以下に示す手順が記載されている。
１：オープニングに記録されたシーンを時系列につなぎ、ＤＶＤメニューの１番目に設定する。
２：旅先に記録されたシーンを、撮影開始時刻によって、日付ごとのグループに分ける。
３：各日付グループ内で時系列につなぎ、日付ごとにＤＶＤメニューとして設定する。
４：エンディングに記録されたシーンを時系列につなぎ、ＤＶＤメニューの最後に設定する。以上のスクリプトに基づいて、オープニング・エンディングと、日付ごとのメニューを備えたＤＶＤ編集が可能になる。
【００５１】
次に、図９（ｂ）を参照しつつ、必要なシーンの一部が撮影されていないときの処理例について説明する。ガイダンスの種類によっては、全てのシーンが撮影されている必要がある。例えば、起承転結のある「４コマ漫画」であれば、４つのシーンの全てが揃っていない場合には、ガイダンスの意図通りに編集ができない。このように、自動編集時に不足しているシーンがある場合には、図９（ｂ）に示すように警告を表示して撮影を促すことにより、シーンの撮影漏れを防ぐことができる、尚、全てのシーンが揃う必要のないガイダンスでは、このチェック処理は不要となる。
【実施例３】
【００５２】
図１０（ａ）又は（ｂ）に示すように実施例３は、以前に撮影した撮影データからの継続して撮影を行う場合の例である（図５（ａ）のガイダンス撮影  続きからの処理）。実際の撮影では、一度に連続して撮影する場合は少なく、むしろ中断が入る場合が多い。この際、日付が変更された場合には、撮影する対象によっては、日付が変更したことを示すシーンを含めた方が効果的なケースがある。例えば、旅行記のようなケースが該当する。そこで、撮影を再開する場合に、現在の時刻と最後に撮影した時刻を比較し、日付が変わっている場合にはそれを示すような映像を撮影するよう促すメッセージを表示する。これにより、素材の撮り忘れを防ぎ、素人にも、時間経過のわかりやすいビデオを作製することができる。
【００５３】
さらに、ＧＰＳのような測位システムを搭載した機器では、前回の撮影終了位置から撮影再開位置の変化が大きいときのみ、同様のアドバイス（「撮影場所が変わったようです。場所が変わったことを示すものを撮影してはいかがでしょうか？」）を表示することで、素材の撮り忘れを防ぎ、素人にも、場所の移動がわかりやすいビデオを作製することができる。
【産業上の利用可能性】
【００５４】
以上、本発明に関して実施の形態又は実施例に沿って説明を行ったが、本発明はこれらの例に限定されるものではなく、種々の変形が可能であるのは言うまでもない。例えば、ビデオカメラをデジタルスチルカメラや通常のカメラ、携帯電話やＰＤＡなどの携帯端末に置き換えることも可能である。
【図面の簡単な説明】
【００５５】
【図１】本発明の一実施の形態による自動編集装置において編集される動画データを作成するための撮影ガイダンス機能付き撮像装置の構成例を示す機能ブロック図である。
【図２】撮影ガイダンスの一例を示すシーケンス図である。
【図３】本実施の形態によるガイダンスファイルを用いた自動編集システムの構成例を示すブロック図である。
【図４】本実施の形態による自動編集処理の流れを示すフローチャート図である。
【図５】図５（ａ）及び図５（ｂ）は、実施例１おけるガイダンスの提示例を示す図である。
【図６】図５に続く図である。
【図７】実施例１おける編集処理の選択画面を示す図である。
【図８】実施例２におけるガイダンスの提示例を示す図である。
【図９】図９（ａ）は、ビデオ編集における処理選択画面であり、図９（ｂ）は、４コマ漫画に関する警告表示例を示す図である。
【図１０】図１０（ａ）は、撮影を継続する場合のガイダンス表示例であり、図１０（ｂ）は、日付が変わった場合のガイダンス表示例を示す図である。
【符号の説明】
【００５６】
１…カメラ部、３…カメラ信号処理部、５…記録／再生信号処理部、７…Ｉ／Ｏ処理部、１２…汎用バス、３１…記憶装置、３３…ガイダンスファイル保存エリア（領域）、３５…ユーザ定義ガイダンスファイル保存エリア（領域）、３７…撮影データ保存エリア（領域）、４１…ＭＰＵ、４３…メモリ、４７…ディスク記憶装置、５１…Ｉ／Ｏ処理部、５３…グラフィックス（Ｇｒａｐｈｉｃｓ）処理部、５５…第２記憶装置、６１…通信制御部。
【図１】
2005045574.tif 000004
【図２】
2005045574.tif 000005
【図３】
2005045574.tif 000006
【図４】
2005045574.tif 000007
【図５】
2005045574.tif 000008
【図６】
2005045574.tif 000009
【図７】
2005045574.tif 000010
【図８】
2005045574.tif 000011
【図９】
2005045574.tif 000012
【図１０】
2005045574.tif 000013